(57)【要約】【課題】複数の電源に対応でき、外部から供給されている電源の状況に応じて、電力効率が高い電源ラインを自動的に選択可能なＡＩＳＧデバイス用電源回路及びＡＩＳＧデバイスを提供を提供する。【解決手段】ＡＩＳＧ規格に準拠してアンテナの制御を行うＡＩＳＧデバイス１に搭載され、外部から供給された電源の電圧を、ＡＩＳＧデバイス１の内部回路３用に調整して出力するＤＣ／ＤＣコンバータ４を備えると共に、ＤＣ／ＤＣコンバータ４の入力端子の正極を必須接続である１０〜３０Ｖの電源ラインに、入力端子の負極をＤＣリターンラインにそれぞれ電気的に接続したＡＩＳＧデバイス用電源回路において、外部から−４８Ｖ電源が供給されているとき、ＤＣ／ＤＣコンバータ４の入力端子の負極の接続先を、ＤＣリターンラインから−４８Ｖの電源ラインに切り替える切替回路１０を備えた。【選択図】図１
2013017041.tif 000002
【特許請求の範囲】
【請求項１】
ＡＩＳＧ規格に準拠してアンテナの制御を行うＡＩＳＧデバイスに搭載され、
外部から供給された電源の電圧を、前記ＡＩＳＧデバイスの内部回路用に調整して出力するＤＣ／ＤＣコンバータを備えると共に、該ＤＣ／ＤＣコンバータの入力端子の正極を必須接続である１０〜３０Ｖの電源ラインに、入力端子の負極をＤＣリターンラインにそれぞれ電気的に接続したＡＩＳＧデバイス用電源回路において、
外部から−４８Ｖ電源が供給されているとき、前記ＤＣ／ＤＣコンバータの入力端子の負極の接続先を、ＤＣリターンラインから−４８Ｖの電源ラインに切り替える切替回路を備えた
ことを特徴とするＡＩＳＧデバイス用電源回路。
【請求項２】
前記切替回路は、
前記ＤＣ／ＤＣコンバータの入力端子の負極と前記ＤＣリターンラインとを電気的に接続する負極側内部配線から分岐して、前記−４８Ｖの電源ラインと電気的に接続される負極側分岐配線と、
前記負極側内部配線と前記負極側分岐配線との分岐点に対して、前記ＤＣ／ＤＣコンバータと反対側の前記負極側内部配線に設けられ、前記ＤＣリターンライン側から前記−４８Ｖの電源ライン側へ流れる電流を遮断する負極側切替ダイオードと、を備えている
請求項１記載のＡＩＳＧデバイス用電源回路。
【請求項３】
前記切替回路は、
前記ＤＣ／ＤＣコンバータの入力端子の正極と前記１０〜３０Ｖの電源ラインとを電気的に接続する正極側内部配線から分岐して、前記ＤＣリターンラインと電気的に接続される正極側分岐配線と、
前記正極側分岐配線に設けられ、前記１０〜３０Ｖの電源ライン側から前記ＤＣリターンライン側へ流れる電流を遮断する正極側切替ダイオードと、をさらに備えた
請求項２記載のＡＩＳＧデバイス用電源回路。
【請求項４】
前記切替回路は、
前記正極側内部配線からさらに分岐して、＋１２Ｖの電源ラインと電気的に接続される正極側第２分岐配線と、
前記正極側第２分岐配線に設けられ、前記１０〜３０Ｖの電源ライン側から前記＋１２Ｖの電源ライン側へ流れる電流を遮断する正極側第２切替ダイオードと、をさらに備えた  請求項３記載のＡＩＳＧデバイス用電源回路。
【請求項５】
請求項１〜４いずれかに記載のＡＩＳＧデバイス用電源回路を搭載したことを特徴とするＡＩＳＧデバイス。
【発明の詳細な説明】
【技術分野】
【０００１】
本発明は、ＡＩＳＧ（Antenna Interface Standards Group）規格に準拠してアンテナの制御を行うＡＩＳＧデバイスに搭載されるＡＩＳＧデバイス用電源回路及びＡＩＳＧデバイスに関するものである。
【背景技術】
【０００２】
移動通信用の無線基地局では、一般に、アンテナのチルト制御を遠隔制御により行えるようになっている。当初は、アンテナの制御方式としてメーカーごとに独自の方式を用いていたが、近年のＬＴＥ（Long Term Evolution）無線基地局などでは、アンテナの制御をＡＩＳＧ規格で行うことが多くなっている。ＡＩＳＧ規格は、アンテナの基本的な相互運用を確実にすべく標準化された規格である（例えば、特許文献１参照）。
【０００３】
図５（ａ）に示すように、ＡＩＳＧ規格に準拠してアンテナの制御を行うアンテナ制御システム５１は、無線基地局のアンテナ（図示せず）の制御を行うＲＥＴ（Remote Electrical Tilt）ユニットなどのＡＩＳＧデバイス（ＡＩＳＧ端末機器）５２と、ＡＩＳＧデバイス５２に制御信号（ＲＳ−４８５規格信号）を送信し、ＡＩＳＧデバイス５２を制御してアンテナの制御を行うと共に、ＡＩＳＧデバイス５２に電源を供給する制御装置（ＡＩＳＧ制御装置）５３と、制御装置５３とＡＩＳＧデバイス５２とを接続する制御ケーブル（ＡＩＳＧ制御ケーブル）５４と、を備えている。制御ケーブル５４は、図示していないが、制御信号を伝送するための制御信号線と、電源を供給するための電源線とを備えている。
【０００４】
ＡＩＳＧ規格にて規定されているコネクタのピン端子の番号（Pin Number）、各ピン端子で伝搬する信号（Signal）、必須接続（Mandatory）であるか任意接続（Optional）であるかという要求（Requirement）を表１に示す。
【０００５】
【表１】
2013017041.tif 000003
【０００６】
表１に示すように、ＡＩＳＧ規格では、１番の＋１２Ｖ、２番の−４８Ｖ、６番の１０〜３０Ｖの３種類の電源ラインが用意されており、＋１２Ｖと−４８Ｖの電源ラインは任意接続、１０〜３０Ｖの電源ラインは必須接続とされている。なお、表１における８番のＮＣは無接続（No Connection）を意味している。
【０００７】
ところで、図５（ｂ）に示すように、ＡＩＳＧデバイス５２には、一般に、外部から供給された電源の電圧を、ＡＩＳＧデバイス５２の内部回路（ＡＩＳＧデバイス内回路）５５用に調整して出力するＡＩＳＧデバイス用電源回路５６が備えられている。
【０００８】
従来のＡＩＳＧデバイス用電源回路５６は、外部から供給された電源の電圧を、ＡＩＳＧデバイス５２の内部回路５５用に調整して出力するＤＣ／ＤＣコンバータ５７を備えると共に、ＤＣ／ＤＣコンバータ５７の入力端子の正極（Ｖｉｎ（＋））を必須接続である１０〜３０Ｖの電源ラインに、入力端子の負極（Ｖｉｎ（−））をＤＣリターンラインにそれぞれ電気的に接続して構成されている。出力端子の正極と負極（Ｖｏｕｔ（＋）とＶｏｕｔ（−））は、それぞれ内部回路５５に電気的に接続され、さらに出力端子の負極（Ｖｏｕｔ（−））は、ＤＣリターンラインに電気的に接続されている。
【０００９】
図５（ｂ）では、１０〜３０Ｖの電源ラインを用いる場合を示しているが、＋１２Ｖの電源ラインを用いる場合は、ＤＣ／ＤＣコンバータ５７の入力端子の正極（Ｖｉｎ（＋））を＋１２Ｖの電源ラインに電気的に接続すればよく、−４８Ｖの電源ラインを用いる場合には、ＤＣ／ＤＣコンバータ５７の入力端子の正極（Ｖｉｎ（＋））をＤＣリターンラインに、入力端子の負極（Ｖｉｎ（−））を−４８Ｖの電源ラインにそれぞれ電気的に接続すればよい。
【先行技術文献】
【特許文献】
【００１０】
【特許文献１】特表２０１０−５１９８０４号公報
【発明の概要】
【発明が解決しようとする課題】
【００１１】
ところで、電圧を大きくすれば小電流でも大電力を供給でき、制御ケーブルの抵抗成分による電圧降下、すなわち電力ロスを抑制して、アンテナ制御システム全体の電力効率を向上することが可能である。したがって、電力効率を向上させる観点からは、規定されている電圧の値（絶対値）が最も大きい−４８Ｖの電源ラインを使用することが望ましい。
【００１２】
しかし、従来のＡＩＳＧデバイス用電源回路では、複数の電源に対応していないため、−４８Ｖの電源ラインを使用するＡＩＳＧデバイス用電源回路では、−４８Ｖの電源ラインを使用しないアンテナ制御システムに対応できなくなってしまうという問題がある。
【００１３】
ＡＩＳＧ規格では上述のように３種類（１０〜３０Ｖ，＋１２Ｖ、−４８Ｖ）の電源ラインが用意されているにもかかわらず、現状の既設のアンテナ制御システムでは、必須接続である１０〜３０Ｖの電源ラインのみが使用され、任意接続の−４８Ｖや＋１２Ｖの電源ラインが使用されていない場合が多い。−４８Ｖの電源ラインが接続されているかどうかは使用される系統よって異なるため、−４８Ｖの電源ラインを使用するＡＩＳＧデバイスは非常に使用しづらい。
【００１４】
本発明は、上記事情に鑑み為されたものであり、複数の電源に対応でき、外部から供給されている電源の状況に応じて、電力効率が高くなる電源ラインを自動的に選択可能なＡＩＳＧデバイス用電源回路及びＡＩＳＧデバイスを提供することを目的とする。
【課題を解決するための手段】
【００１５】
本発明は上記目的を達成するために創案されたものであり、ＡＩＳＧ規格に準拠してアンテナの制御を行うＡＩＳＧデバイスに搭載され、外部から供給された電源の電圧を、前記ＡＩＳＧデバイスの内部回路用に調整して出力するＤＣ／ＤＣコンバータを備えると共に、該ＤＣ／ＤＣコンバータの入力端子の正極を必須接続である１０〜３０Ｖの電源ラインに、入力端子の負極をＤＣリターンラインにそれぞれ電気的に接続したＡＩＳＧデバイス用電源回路において、外部から−４８Ｖ電源が供給されているとき、前記ＤＣ／ＤＣコンバータの入力端子の負極の接続先を、ＤＣリターンラインから−４８Ｖの電源ラインに切り替える切替回路を備えたＡＩＳＧデバイス用電源回路である。
【００１６】
前記切替回路は、前記ＤＣ／ＤＣコンバータの入力端子の負極と前記ＤＣリターンラインとを電気的に接続する負極側内部配線から分岐して、前記−４８Ｖの電源ラインと電気的に接続される負極側分岐配線と、前記負極側内部配線と前記負極側分岐配線との分岐点に対して、前記ＤＣ／ＤＣコンバータと反対側の前記負極側内部配線に設けられ、前記ＤＣリターンライン側から前記−４８Ｖの電源ライン側へ流れる電流を遮断する負極側切替ダイオードと、を備えていてもよい。
【００１７】
前記切替回路は、前記ＤＣ／ＤＣコンバータの入力端子の正極と前記１０〜３０Ｖの電源ラインとを電気的に接続する正極側内部配線から分岐して、前記ＤＣリターンラインと電気的に接続される正極側分岐配線と、前記正極側分岐配線に設けられ、前記１０〜３０Ｖの電源ライン側から前記ＤＣリターンライン側へ流れる電流を遮断する正極側切替ダイオードと、をさらに備えてもよい。
【００１８】
前記切替回路は、前記正極側内部配線からさらに分岐して、＋１２Ｖの電源ラインと電気的に接続される正極側第２分岐配線と、前記正極側第２分岐配線に設けられ、前記１０〜３０Ｖの電源ライン側から前記＋１２Ｖの電源ライン側へ流れる電流を遮断する正極側第２切替ダイオードと、をさらに備えてもよい。
【００１９】
また、本発明は、上述のＡＩＳＧデバイス用電源回路を搭載したＡＩＳＧデバイスである。
【発明の効果】
【００２０】
本発明によれば、複数の電源に対応でき、外部から供給されている電源の状況に応じて、電力効率が高くなる電源ラインを自動的に選択可能なＡＩＳＧデバイス用電源回路及びＡＩＳＧデバイスを提供できる。
【図面の簡単な説明】
【００２１】
【図１】本発明の一実施の形態に係るＡＩＳＧデバイス用電源回路を搭載したＡＩＳＧデバイスの概略構成図である。
【図２】図１のＡＩＳＧデバイス用電源回路の動作を説明する図であり、（ａ）は−４８Ｖ電源が供給されていないとき、（ｂ）は−４８Ｖ電源が供給されているときの電源電流の流れを説明する図である。
【図３】本発明の他の実施の形態に係るＡＩＳＧデバイス用電源回路を搭載したＡＩＳＧデバイスの概略構成図である。
【図４】本発明の他の実施の形態に係るＡＩＳＧデバイス用電源回路を搭載したＡＩＳＧデバイスの概略構成図である。
【図５】（ａ）は一般的なアンテナ制御システムの概略構成図、（ｂ）は従来のＡＩＳＧデバイス用電源回路を搭載したＡＩＳＧデバイスの概略構成図である。
【発明を実施するための形態】
【００２２】
以下、本発明の実施の形態を添付図面にしたがって説明する。
【００２３】
図１は、本実施の形態に係るＡＩＳＧデバイス用電源回路を搭載したＡＩＳＧデバイスの概略構成図である。
【００２４】
図１に示すように、ＡＩＳＧデバイス１には、外部から供給された電源の電圧を、ＡＩＳＧデバイス１の内部回路（ＡＩＳＧデバイス内回路）３用に調整して出力するＡＩＳＧデバイス用電源回路２が搭載されている。ＡＩＳＧデバイス１は、例えばＲＥＴユニットであり、ＡＩＳＧ規格に準拠してアンテナの制御を行うものである。
【００２５】
ＡＩＳＧデバイス１には、図示していないが、電源の供給源である制御装置に接続される入力コネクタ（オスコネクタ）と、デイジーチェーン接続用の出力コネクタ（メスコネクタ）が備えられており、制御装置と入力コネクタとを制御ケーブルで接続することにより、制御装置からＡＩＳＧデバイス１に制御信号と電源が入力されるようになっている。入力コネクタと出力コネクタは、ＡＩＳＧ規格に準拠した一般的なコネクタであり、両コネクタの１〜８番のピン端子は、ＡＩＳＧデバイス１の内部でそれぞれ電気的に接続されている。図１では、図を簡略化し、図１の上側から下側にかけて、１０〜３０Ｖの電源ラインが接続される６番のピン端子（10-30V）と、−４８Ｖの電源ラインが接続される２番のピン端子（-48V）と、ＤＣリターンラインが接続される７番のピン端子（DC return）のみを示している。
【００２６】
ＡＩＳＧデバイス用電源回路２は、外部（制御装置）から供給された電源の電圧を、ＡＩＳＧデバイス１の内部回路３用に調整して出力するＤＣ／ＤＣコンバータ４を備えている。つまり、ＤＣ／ＤＣコンバータ４は、ＡＩＳＧデバイス１の内部回路３用の供給電圧を生成するものである。ＤＣ／ＤＣコンバータ４としては、入出力絶縁型のものを用いる。
【００２７】
ＤＣ／ＤＣコンバータ４の入力端子の正極（Ｖｉｎ（＋））は、必須接続である１０〜３０Ｖの電源ライン、すなわち６番のピン端子に、正極側内部配線５により電気的に接続されている。また、ＤＣ／ＤＣコンバータ４の入力端子の負極（Ｖｉｎ（−））は、ＤＣリターンライン、すなわち７番のピン端子に、負極側内部配線６により電気的に接続されている。
【００２８】
ＤＣ／ＤＣコンバータ４の出力端子の正極（Ｖｏｕｔ（＋））は、正極側出力配線７により内部回路３に電気的に接続されており、ＤＣ／ＤＣコンバータ４の出力端子の負極（Ｖｏｕｔ（−））は、負極側出力配線８により内部回路３に電気的に接続されている。また、負極側出力配線８は、内部回路３に至る途中の分岐点Ａにて分岐し、その分岐したバイパス配線９が、合流点Ｂにて負極側内部配線６に電気的に接続されており、これにより、ＤＣ／ＤＣコンバータ４の出力端子の負極（Ｖｏｕｔ（−））が、ＤＣリターンラインに電気的に接続されている。
【００２９】
さて、本実施の形態に係るＡＩＳＧデバイス用電源回路２は、外部から−４８Ｖ電源が供給されているとき、ＤＣ／ＤＣコンバータ４の入力端子の負極（Ｖｉｎ（−））の接続先を、ＤＣリターンラインから−４８Ｖの電源ラインに切り替える切替回路１０を備えている。
【００３０】
切替回路１０は、負極側分岐配線１１と負極側切替ダイオード１２とからなる。
【００３１】
負極側分岐配線１１は、ＤＣ／ＤＣコンバータ４の入力端子の負極（Ｖｉｎ（−））とＤＣリターンライン（７番のピン端子）とを電気的に接続する負極側内部配線６から分岐点Ｃにて分岐して、−４８Ｖの電源ライン（２番のピン端子）と電気的に接続されるように配線される。分岐点Ｃは、バイパス配線９が負極側内部配線６に合流する合流点ＢよりもＤＣ／ＤＣコンバータ４側に位置するように調整される。
【００３２】
負極側切替ダイオード１２は、負極側内部配線６と負極側分岐配線１１との分岐点Ｃに対して、ＤＣ／ＤＣコンバータ４と反対側（つまり入力側）の負極側内部配線６に設けられる。また、負極側切替ダイオード１２は、合流点ＢよりもＤＣ／ＤＣコンバータ４側に設けられる。つまり、負極側切替ダイオード１２は、分岐点Ｃと合流点Ｂの間の負極側内部配線６に設けられる。負極側切替ダイオード１２は、ＤＣリターンライン側から−４８Ｖの電源ライン側へ流れる電流を遮断するように設けられる。
【００３３】
本実施の形態では、切替回路１０は、負極側分岐配線１１に設けられた負極側逆流防止用ダイオード１３をさらに備えている。負極側逆流防止用ダイオード１３は、−４８Ｖの電源ライン側からＤＣ／ＤＣコンバータ４側へ流れる電流を遮断するように設けられる。
【００３４】
次に、ＡＩＳＧデバイス用電源回路２の動作を説明する。
【００３５】
図２（ａ）に示すように、外部から１０〜３０Ｖ電源のみが供給されており、−４８Ｖ電源が供給されていない場合、−４８Ｖの電源ラインが接続される２番のピン端子は開放となり、負極側切替ダイオード１２が順方向バイアスされことになる。よって、電源電流は、図示矢印のように、１０〜３０Ｖの電源ラインが接続される６番のピン端子から、正極側内部配線５、ＤＣ／ＤＣコンバータ４、負極側内部配線６（分岐点Ｃ、負極側切替ダイオード１２、合流点Ｂ）を経て、ＤＣリターンラインが接続される７番のピン端子に流れる。
【００３６】
これに対して、図２（ｂ）に示すように、外部から１０〜３０Ｖ電源と−４８Ｖ電源の両方が供給されている場合、負極側切替ダイオード１２が逆方向バイアスされ、分岐点Ｃと合流点Ｂの間の負極側内部配線６が遮断されることになる。よって、電源電流は、図示矢印のように、１０〜３０Ｖの電源ラインが接続される６番のピン端子から、正極側内部配線５、ＤＣ／ＤＣコンバータ４、負極側内部配線６（分岐点Ｃまで）、負極側分岐配線１１（負極側逆流防止用ダイオード１３）を経て、−４８Ｖの電源ラインが接続される２番のピン端子に流れる。
【００３７】
例えば、１０〜３０Ｖ電源の電圧を２４Ｖとすると、図２（ａ）のように−４８Ｖ電源が供給されていない場合には、ＤＣ／ＤＣコンバータ４の入力端子の正極と負極間には２４Ｖの電圧が印加される。これに対して、図２（ｂ）のように−４８Ｖ電源が供給されている場合には、ＤＣ／ＤＣコンバータ４の入力端子の正極と負極間には２４Ｖ＋４８Ｖの合計７２Ｖの高い電圧が印加されることになる。ＤＣ／ＤＣコンバータ４で消費される電力はほぼ一定であるため、電圧が高いほど電源電流を小さくすることができ、その結果、制御ケーブルの抵抗成分による電圧降下（電力ロス）を抑制して、システム全体の電力効率を高めることが可能になる。
【００３８】
本発明のＡＩＳＧデバイス用電源回路２では、外部から供給される電源の状況によって、ＤＣ／ＤＣコンバータ４に入力される電圧が異なってくるので、ＤＣ／ＤＣコンバータ４としては、幅広い入力電圧に対応できるものを用いる必要がある。このような入力電圧の幅が広いＤＣ／ＤＣコンバータ４としては、例えば、ＭＡＸＩＭ社製のＭＡＸ５０１４，ＭＡＸ５０１５などが挙げられる。
【００３９】
以上説明したように、本実施の形態に係るＡＩＳＧデバイス用電源回路２では、外部から−４８Ｖ電源が供給されているとき、ＤＣ／ＤＣコンバータ４の入力端子の負極（Ｖｉｎ（−））の接続先を、ＤＣリターンラインから−４８Ｖの電源ラインに切り替える切替回路１０を備えている。
【００４０】
切替回路１０を備えることにより、必須接続である１０〜３０Ｖ電源のみが供給されている場合に対応することはもちろん、−４８Ｖ電源が供給されている場合には、−４８Ｖ電源を有効に利用してシステム全体の電力効率を向上させることができる。
【００４１】
つまり、本発明によれば、複数の電源に対応でき、外部から供給されている電源の状況に応じて、電力効率が高くなる電源ラインを自動的に選択可能なＡＩＳＧデバイス用電源回路２を実現できる。
【００４２】
また、本実施の形態では、切替回路１０を、負極側分岐配線１１と負極側切替ダイオード１２と負極側逆流防止用ダイオード１３とで構成しており、ＤＣリターンラインと−４８Ｖの電源ラインを２個のダイオード１２，１３により接続することにより、−４８Ｖ電源の供給の有無により、電源電流が流れるラインを自動切り替えするようにしている。切替回路１０を安価なダイオードと配線のみで構成しているので、非常に低コストであり、既存のＡＩＳＧデバイス用電源回路にも容易に組み込むことが可能である。
【００４３】
本発明のＡＩＳＧデバイス用電源回路２を搭載したＡＩＳＧデバイス１は、複数の電源に対応できるため、汎用性が高い。
【００４４】
次に、本発明の他の実施の形態を説明する。
【００４５】
図３に示すＡＩＳＧデバイス３１は、−４８Ｖ電源のみが供給されている場合でも対応できるように、ＡＩＳＧデバイス用電源回路３２の切替回路３３を構成したものである。
【００４６】
切替回路３３は、図１で説明した切替回路１０に、さらに、正極側分岐配線３４と、正極側切替ダイオード３５と、正極側逆流防止用ダイオード３６とを備えたものである。
【００４７】
正極側分岐配線３４は、ＤＣ／ＤＣコンバータ４の入力端子の正極（Ｖｉｎ（＋））と１０〜３０Ｖの電源ライン（６番のピン端子）とを電気的に接続する正極側内部配線５から分岐点Ｄにて分岐して、ＤＣリターンライン（７番のピン端子）と電気的に接続するように配線される。ここでは、分岐点Ｄから延びる正極側分岐線３４を、合流点Ｂよりも入力側（７番のピン端子側）の負極側内部配線６に電気的に接続した。正極側分岐線３４と負極側内部配線６の接続点を分岐点Ｅという。
【００４８】
正極側切替ダイオード３５は、正極側分岐配線３４に設けられ、１０〜３０Ｖの電源ライン側からＤＣリターンライン側へ流れる電流を遮断するように設けられる。
【００４９】
正極側逆流防止用ダイオード３６は、分岐点Ｄよりも入力側（６番のピン端子側）の正極側内部配線５に設けられ、ＤＣ／ＤＣコンバータ４側から１０〜３０Ｖの電源ライン側へ流れる電流を遮断するように設けられる。
【００５０】
ＡＩＳＧデバイス用電源回路３２では、１０〜３０Ｖ電源が供給されている場合には、正極側切替ダイオード３５が逆方向バイアスされ正極側分岐配線３４が遮断される。１０〜３０Ｖ電源のみが供給されている場合、１０〜３０Ｖ電源と−４８Ｖ電源の両方が供給されている場合の動作は、上述のＡＩＳＧデバイス用電源回路２と同じである。
【００５１】
他方、１０〜３０Ｖ電源が供給されず−４８Ｖ電源のみが供給されている場合には、１０〜３０Ｖの電源ラインが接続される６番のピン端子が開放となり、正極側切替ダイオード３５が順方向バイアスされる。よって、電源電流は、ＤＣリターンラインが接続される７番のピン端子から、負極側内部配線６（分岐点Ｅまで）、正極側分岐配線３４（正極側切替ダイオード３５）、正極側内部配線５（分岐点ＤよりＤＣ／ＤＣコンバータ４側）、ＤＣ／ＤＣコンバータ４、負極側内部配線６（分岐点Ｃまで）、負極側分岐配線１１（負極側逆流防止用ダイオード１３）を経て、−４８Ｖの電源ラインが接続される２番のピン端子に流れる。
【００５２】
図３のＡＩＳＧデバイス用電源回路３２によれば、１０〜３０Ｖ電源のみが供給されている場合、１０〜３０Ｖ電源と−４８Ｖ電源の両方が供給されている場合に加えて、−４８Ｖ電源のみが供給されている場合にも対応することが可能となる。
【００５３】
図４に示すＡＩＳＧデバイス４１は、さらに、＋１２Ｖ電源が供給されている場合にも対応できるように、ＡＩＳＧデバイス用電源回路４２の切替回路４３を構成したものである。
【００５４】
切替回路４３は、図３で説明した切替回路３３に、さらに、正極側第２分岐配線４４と、正極側第２切替ダイオード４５と、を備えたものである。
【００５５】
正極側第２分岐配線４４は、正極側内部配線５の分岐点Ｄからさらに分岐して、＋１２Ｖの電源ライン（１番のピン端子）と電気的に接続するよう配線される。
【００５６】
正極側第２切替ダイオード４５は、正極側第２分岐配線４４に設けられ、１０〜３０Ｖの電源ライン側から＋１２Ｖの電源ライン側へ流れる電流を遮断するように設けられる。
【００５７】
ＡＩＳＧデバイス用電源回路４２では、１０〜３０Ｖ電源と＋１２Ｖ電源のいずれか一方が供給されているときには、その供給されている電源をＤＣ／ＤＣコンバータ４の入力端子の正極（Ｖｉｎ（＋））に電気的に接続し、さらに、１０〜３０Ｖ電源と＋１２Ｖ電源の両方が供給されているときには、両電源のうち電圧の高い方を、ＤＣ／ＤＣコンバータ４の入力端子の正極（Ｖｉｎ（＋））に電気的に接続することになる。
【００５８】
よって、ＡＩＳＧデバイス用電源回路４２によれば、１０〜３０Ｖ電源、−４８Ｖ電源、＋１２Ｖ電源のいずれか１つのみが給電されている場合にも、ＡＩＳＧデバイス４１の動作が可能であり、また、給電された最大の電位差をＤＣ／ＤＣコンバータ４の入力電源として使用することが可能となり、その結果、電源ラインに流れる電流を少なくし、制御ケーブルの抵抗成分による電圧降下を抑制し、システム全体の電力効率を高めることができる。
【００５９】
本発明は上記実施の形態に限定されるものではなく、本発明の趣旨を逸脱しない範囲で種々の変更を加え得ることは勿論である。
【符号の説明】
【００６０】
１  ＡＩＳＧデバイス
２  ＡＩＳＧデバイス用電源回路
３  内部回路
４  ＤＣ／ＤＣコンバータ
５  正極側内部配線
６  負極側内部配線
１０  切替回路
１１  負極側分岐配線
１２  負極側切替ダイオード
１３  負極側逆流防止用ダイオード
３４  正極側分岐配線
３５  正極側切替ダイオード
４４  正極側第２分岐配線
４５  正極側第２切替ダイオード
【図１】
2013017041.tif 000004
【図２】
2013017041.tif 000005
【図３】
2013017041.tif 000006
【図４】
2013017041.tif 000007
【図５】
2013017041.tif 000008